(57)【要約】      （修正有）【課題】レジストローラにてシートが搬送されている状態で該レジストローラの駆動が停止してしまうことを防止することが可能なシート搬送装置及びそれを備えた画像形成装置を提供する。【解決手段】シート搬送路Ｓの湾曲部７１でシートＱ１，Ｑ２の有無を光学式センサ１０２にて検出し、レジストローラ１０１にて搬送されるシートＱ１，Ｑ２の光学式センサ１０２によるシート有り検知から、シート無し検知となる検知後から所定の搬送時間経過後にレジストローラ１０１の駆動を一旦停止して次のシート搬送に備えるシート搬送装置１００を備えた画像形成装置において、シート搬送制御手段は、レジストローラ１０１の駆動の前記停止タイミングをシートＱ１，Ｑ２の種類に応じて変更可能としている。【選択図】図２
2010037087.tif 000002
【特許請求の範囲】
【請求項１】
所定のシート搬送方向にシートを搬送するレジストローラと、
前記レジストローラよりも前記シート搬送方向の上流側で湾曲する湾曲部を有するシート搬送路と、
前記シート搬送路の前記湾曲部でシートの有無を検出する光学式センサと、
前記レジストローラにて搬送されるシートの前記光学式センサによるシート有り検知からシート無し検知となる検知後から所定の搬送時間経過後に前記レジストローラへの駆動を停止するシート搬送制御手段と
を備えたシート搬送装置において、
前記シート搬送制御手段は、前記レジストローラへの駆動の前記停止タイミングをシートの種類に応じて変更可能としていることを特徴とするシート搬送装置。
【請求項２】
前記シート搬送制御手段は、前記レジストローラへの駆動の前記停止タイミングを、第１シート特性のシートと、前記第１シート特性とは異なる第２シート特性のシートとで変更することを特徴とする請求項１に記載のシート搬送装置。
【請求項３】
前記第１シート特性のシートは普通紙であり、前記第２シート特性のシートは前記第１シート特性のシートよりも腰の強いＯＨＰシートであり、
前記シート搬送制御手段は、普通紙での前記光学式センサによるシート有り検知からシート無し検知となる検知後からの前記レジストローラを停止させるための第１搬送時間よりも、ＯＨＰシートでの前記光学式センサによるシート有り検知からシート無し検知となる検知後からの前記レジストローラを停止させるための第２搬送時間を遅らせることを特徴とする請求項２に記載のシート搬送装置。
【請求項４】
請求項１から３の何れか一つに記載のシート搬送装置を備えたことを特徴とする画像形成装置。
【発明の詳細な説明】
【技術分野】
【０００１】
本発明は、シートを搬送するレジストローラよりもシート搬送方向上流側で湾曲しているシート搬送路の湾曲部でシートの有無を光学式センサによって検出し、該レジストローラにて搬送されるシートの該光学式センサによるシート有り検知からシート無し検知となる検知後から所定の搬送時間経過後に該レジストローラへの駆動を停止するシート搬送装置及びそれを備えた画像形成装置に関する。
【背景技術】
【０００２】
例えば、電子写真方式の画像形成装置においては、一般的に、静電潜像を感光体ドラム等の像担持体表面に形成し、現像剤により像担持体表面の静電潜像を現像して、像担持体表面にトナー像を形成し、像担持体と転写部材間のニップ域に普通紙やＯＨＰ等のシートを挟み込んで搬送しつつ、トナー像を像担持体からシートに転写し、シートを加熱及び加圧して、トナー像をシート上に定着させている。
【０００３】
このような画像形成装置においてはシート搬送装置が組み込まれており、このシート搬送装置によりシートが給紙トレイ等の給紙部から引き出されて搬送される。このシート搬送装置においては、シート搬送経路を直線状にするのが最も好ましいが、給紙トレイや感光体ドラム等の構成部材の配置関係により、シート搬送経路を直線状に保つことができず複数箇所で湾曲させることが多い。
【０００４】
また、シート搬送装置の搬送経路においては、像担持体と転写部材間のニップ域よりもシート搬送方向上流側にレジストローラ（ＰＳ(Paper Stop)ローラとも称する）が設けられており、停止状態のレジストローラにシートの先端（シート搬送方向下流側端）を付き当てて、シートを撓ませ、このシートの弾性力によりシートの先端をレジストローラと平行に揃えてから、レジストローラによりシートをニップ域へと搬送している。これにより、シートが斜めになってニップ域を通過することが防止され、トナー像がシートに対して斜めに転写されずに済む。
【０００５】
一方、シートがレジストローラを通過した後は、次のシートの先端をレジストローラに突き当てて撓ませるために、レジストローラに次のシートが到来する前にレジストローラへの回転駆動を停止する必要があるが、このレジストローラへの回転駆動の停止は、レジストローラよりもシート搬送方向上流側においてシートの有無を検出することによって行われることが多い。このシートの有無を検出する手段として、光学式センサを用いることがある。光学式センサを用いたシート搬送装置では、シートの後端（シート搬送方向上流側端）の光学式センサによる検知後から所定の搬送時間経過後にレジストローラへの回転駆動を一旦停止して次のシート搬送に備えるようになっている。なお、前記所定の搬送時間は、少なくとも、シートの後端検知位置からレジストローラまでの検知後搬送距離をシートの後端が通過する時間であり、この検知後搬送距離とシートの搬送速度とから予め求めておくことができる。
【０００６】
ところで、レジストローラを基準にしたシート搬送方向上流側で湾曲しているシート搬送路を備えたシート搬送装置において、レジストローラにて搬送されるシートの有無を光学式センサによって検出する場合には、シートの腰の強さや光学的特性等のシート特性が異なると、シートの後端の光学式センサによる検知タイミングが異なることがあり、好ましくない。これについて、光学式センサとして、搬送されるシートへ光照射して該シートから反射される反射光に基づきシートの有無を検出する反射型光センサを用いた場合を例にとって図６を参照しながら説明する。
【０００７】
図６は、レジストローラのシート搬送方向上流側で湾曲しているシート搬送路Ｓを備えた従来のシート搬送装置において、反射型光センサ１０２を用いた場合の不都合を説明するための図である。図６（ａ）は、普通紙である第１シート特性のシートＱ１を搬送する場合での反射型光センサ１０２による検出状態を示しており、図６（ｂ）は、普通紙よりも腰の強いＯＨＰシートである第２シート特性のシートＱ２を搬送する場合での反射型光センサ１０２による検出状態を示している。
【０００８】
図６に示す従来のシート搬送装置は、シートＱ１，Ｑ２を搬送するレジストローラ１０１と、レジストローラ１０１よりもシート搬送方向（図中矢印Ｘ’方向）上流側で湾曲する湾曲部７１を有しているシート搬送路Ｓと、シート搬送路Ｓの湾曲部７１でシートＱ１，Ｑ２の有無を検出する反射型光センサ１０２とを備えており、レジストローラ１０１にて搬送されるシートＱ１，Ｑ２の反射型光センサ１０２によるシート有り検知からシート無し検知となる検知後から所定の搬送時間経過後にレジストローラ１０１への回転駆動を一旦停止して次のシート搬送に備えるようになっている。なお、このシート搬送装置では、反射型光センサ１０２によって入射される反射光Ｒ１，Ｒ２が検知されなくなったことをモニターすることでシートＱ１，Ｑ２の後端Ｑ１’，Ｑ２’とみなしている。
【０００９】
レジストローラ１０１は、対向する対向ローラ（ここでは従動ローラ）１０５との間にシートＱ１，Ｑ２を挟持しつつシート搬送方向Ｘの軸線回りに回転駆動されることで、シートＱ１，Ｑ２を搬送するようになっている。
【００１０】
反射型光センサ１０２は、シート搬送路Ｓの湾曲部７１の外側に設けられており、レジストローラ１０１にて搬送されるシートＱ１，Ｑ２へ出射光Ｌを照射する発送素子を含む発光部１０２ａと、該シートＱ１，Ｑ２から反射される反射光Ｒ１，Ｒ２を受光する受光素子を含む受光部１０２ｂとからなっている。
【００１１】
このように構成された従来のシート搬送装置では、図６（ａ）に示すように、普通紙Ｑ１の搬送動作において、反射型光センサ１０２の光照射領域を通過する普通紙Ｑ１の後端Ｑ１’とみなす該センサ１０２による検知タイミングと、図６（ｂ）に示すように、ＯＨＰシートＱ２の搬送動作において、反射型光センサ１０２の光照射領域を通過するＯＨＰシートＱ２の後端Ｑ２’とみなす該センサ１０２による検知タイミングとが異なってしまう。
【００１２】
詳しくは、発光部１０２ａから普通紙Ｑ１へその後端Ｑ１’にかけて出射光Ｌを照射して（図６（ａ）参照）普通紙Ｑ１から反射した反射光Ｒ１の受光部１０２ｂへの入射方向が略一定であるのに対して、発光部１０２ａからＯＨＰシートＱ２へその後端Ｑ２’にかけて出射光Ｌを照射しても（図６（ｂ）参照）、普通紙Ｑ１よりも腰が強い分、後端Ｑ２’が跳ね上がりやすいため、出射光ＬがＯＨＰシートＱ２を透過したり（図６（ｂ）中Ｌ’参照）、ＯＨＰシートＱ２から反射した反射光Ｒ２の受光部１０２ｂへの入射方向が異なったりする。そうすると、受光部１０２ｂには、ＯＨＰシートＱ２が後端Ｑ２’より手前（シート搬送方向Ｘ’下流側）でＯＨＰシートＱ２からの反射光Ｒ２が入射されなくなるため、反射型光センサ１０２は、ＯＨＰシートＱ２の後端Ｑ２’を通過する前に、後端Ｑ２’を通過したと誤検知（普通紙Ｑ１の検知タイミングよりも速いタイミングで検知）してしまう。
【００１３】
図７は、従来のシート搬送装置の反射型光センサ１０２によるシートＱ１，Ｑ２の検知タイミング、レジストローラ１０１への回転駆動の開始／停止タイミング及びレジストローラ１０１によるシートＱ１，Ｑ２の搬送タイミングを示すタイミングチャートである。図７（ａ）は、普通紙Ｑ１を搬送する場合でのタイミングチャートを示しており、図７（ｂ）は、ＯＨＰシートＱ２を搬送する場合でのタイミングチャートを示している。なお、図７において、符号Ｔｓは、反射型光センサ１０２によるシート有り検知からシート無し検知への変化を検知した時点からレジストローラ１０１への回転駆動が停止するまでの所定の搬送時間を示している。また、図中「センサＯＮ」若しくは「センサＯＦＦ」は、それぞれ、センサ１０２によるシートＱ１，Ｑ２の「有り検知状態」若しくは「無し検知状態」を、図中「レジストローラＯＮ」若しくは「レジストローラＯＦＦ」は、それぞれ、レジストローラへの「駆動状態」若しくは「駆動停止状態」を、図中「シート搬送ＯＮ」若しくは「シート搬送ＯＦＦ」は、それぞれ、シートＱ１，Ｑ２がレジストローラ１０１にて「搬送されている状態」若しくは「搬送されていない状態」を示している。後述する図４についても同様である。
【００１４】
従来のシート搬送装置において、普通紙Ｑ１を搬送する場合には、図７（ａ）に示すように、普通紙Ｑ１がレジストローラ１０１にて搬送された後に（普通紙Ｑ１の後端Ｑ１’がレジストローラ１０１を通過した後に）、レジストローラへの回転駆動が停止する（図中α１参照）。一方、ＯＨＰシートＱ２を搬送する場合には、図７（ｂ）に示すように、ＯＨＰシートＱ２がレジストローラ１０１にて搬送されている状態で（ＯＨＰシートＱ２の後端Ｑ２’がレジストローラ１０１を通過する前に）、レジストローラへの回転駆動が停止する（図中α２参照）。
【００１５】
このように、従来のシート搬送装置では、反射型光センサ１０２の誤検知が発生すると、レジストローラ１０１にてＯＨＰシートＱ２が搬送されている状態であるにも拘わらず、ＯＨＰシートＱ２の後端Ｑ２’がレジストローラ１０１を通過したと判断してしまい、ＯＨＰシートＱ２がレジストローラ１０１に搬送されている状態で該レジストローラ１０１への駆動を停止してしまう。このとき、ＯＨＰシートＱ２が像担持体と転写部材間のニップ域に到来していると、ＯＨＰシートＱ２が搬送されている状態で駆動が停止したレジストローラ１０１をＯＨＰシートＱ２が無理に回転させることになってＯＨＰシートＱ２に搬送負荷がかかるため、ＯＨＰシートＱ２が引っ張られ、これにより、転写ズレ等の画像不良を招く恐れがある。
【００１６】
一方、下記特許文献１には、透過型光センサの光軸がシート搬送面に対して所定角度になるように配置した構成が開示されているが、かかる透過型光センサを上記した反射型光センサに代えてシート搬送装置に適用した場合にも、該透過型光センサのシート搬送面に対する光軸の角度がシートの腰等の特性によって異なってしまうため、上記した反射型光センサを備えたシート搬送装置と同様に、シート後端の誤検知が発生して転写ズレ等の画像不良を招く恐れがある。
【００１７】
なお、このような不都合は、シートの先端をレジストローラと平行に揃えるようにシートを確実に撓ませるための撓み形成部（図６の符号７５参照）で光学式センサによる検知を行う場合に、特に顕著となる。
【特許文献１】特開平６−８７５５０号公報
【発明の開示】
【発明が解決しようとする課題】
【００１８】
そこで、本発明は、シートを搬送するレジストローラよりもシート搬送方向上流側で湾曲しているシート搬送路の湾曲部でシートの有無を光学式センサによって検出し、該レジストローラにて搬送されるシートの該光学式センサによるシート有り検知からシート無し検知となる検知後から所定の搬送時間経過後に該レジストローラへの駆動を停止するシート搬送装置であって、前記レジストローラにてシートが搬送されている状態で該レジストローラへの駆動が停止してしまうことを防止することが可能なシート搬送装置及びそれを備えた画像形成装置を提供することを目的とする。
【課題を解決するための手段】
【００１９】
本発明は、前記課題を解決するために、所定のシート搬送方向にシートを搬送するレジストローラと、前記レジストローラよりも前記シート搬送方向の上流側で湾曲する湾曲部を有するシート搬送路と、前記シート搬送路の前記湾曲部でシートの有無を検出する光学式センサと、前記レジストローラにて搬送されるシートの前記光学式センサによるシート有り検知からシート無し検知となる検知後から所定の搬送時間経過後に前記レジストローラへの駆動を停止するシート搬送制御手段とを備えたシート搬送装置において、前記シート搬送制御手段は、前記レジストローラへの駆動の前記停止タイミングをシートの種類に応じて変更可能としていることを特徴とするシート搬送装置及びそれを備えた画像形成装置を提供する。
【００２０】
本発明に係るシート搬送装置及び画像形成装置によれば、前記光学式センサがシートの種類によってシートの後端を誤検知しても、前記シート搬送制御手段が前記レジストローラへの駆動の前記停止タイミングをシートの種類に応じて変更可能としているので、前記レジストローラにてシートが搬送されている状態で該レジストローラへの駆動が停止してしまうことを防止でき、これにより転写ズレ等の画像不良を回避することができる。
【００２１】
本発明において、前記シート搬送制御手段の具体的態様としては、前記レジストローラへの駆動の前記停止タイミングを、第１シート特性のシートと、前記第１シート特性とは異なる第２シート特性のシートとで変更する態様を例示できる。
【００２２】
この態様において、前記第１シート特性のシートとしては普通紙を例示でき、前記第２シート特性のシートとしては前記第１シート特性のシートよりも腰の強いＯＨＰシートを例示できる。この場合、前記シート搬送制御手段は、普通紙での前記光学式センサによるシート有り検知からシート無し検知となる検知後からの前記レジストローラを停止させるための第１搬送時間よりも、ＯＨＰシートでの前記光学式センサによるシート有り検知からシート無し検知となる検知後からの前記レジストローラを停止させるための第２搬送時間を遅らせることができる。
【００２３】
この特定事項では、光学式センサがＯＨＰシートの後端を通過する前に、後端を通過したと誤検知（普通紙での検知タイミングよりも速いタイミングで検知）しても、ＯＨＰシートでの前記第２搬送時間を、普通紙での前記第１搬送時間よりも遅らせることで、ＯＨＰシートが前記レジストローラに搬送されている状態で該レジストローラへの駆動が停止してしまうことを防止することができる。
【発明の効果】
【００２４】
以上説明したように、本発明によると、シートを搬送するレジストローラよりもシート搬送方向上流側で湾曲しているシート搬送路の湾曲部でシートの有無を光学式センサによって検出し、該レジストローラにて搬送されるシートの該光学式センサによるシート有り検知からシート無し検知となる検知後から所定の搬送時間経過後に該レジストローラへの駆動を停止するシート搬送装置であって、前記レジストローラにてシートが搬送されている状態で該レジストローラへの駆動が停止してしまうことを防止でき、これにより転写ズレ等の画像不良を回避できるシート搬送装置及びそれを備えた画像形成装置を提供することができる。
【発明を実施するための最良の形態】
【００２５】
以下、本発明に係る一実施形態について図面を参照しながら説明する。なお、以下の実施の形態は、本発明を具体化した一例であって、本発明の技術的範囲を限定する性格のものではない。
【００２６】
図１は、本発明に係るシート搬送装置の一実施形態を適用した画像形成装置Ｄを概略的に示す側面図である。この画像形成装置Ｄは、原稿の画像を読取る原稿読取り装置Ｂと、原稿読取り装置Ｂにより読取られた原稿の画像又は外部から受信した画像をカラーもしくは単色で普通紙やＯＨＰ等の記録シート（シートの一例）に記録形成する装置本体Ａとを備えている。
【００２７】
原稿読取り装置Ｂでは、原稿が原稿セットトレイ４１にセットされると、ピックアップ ローラ４４が原稿表面に押し付けられて回転され、原稿がトレイ４１から引き出され、原稿がサバキローラ４５と分離パッド４６間を通過して１枚ずつに分離されてから搬送経路４７へと搬送される。
【００２８】
この搬送経路４７では、原稿の先端がレジストローラ４９に当接して、原稿の先端がレジストローラ４９と平行に揃えられ、この後に原稿がレジストローラ４９により搬送されて読取りガイド５１と読取りガラス５２間を通過する。このとき、第１走査部５３の光源の光が読取りガラス５２を介して原稿表面に照射され、その反射光が読取りガラス５２を介して第１走査部５３に入射し、この反射光が第１及び第２走査部５３，５４のミラーで反射されて結像レンズ５５へと導かれ、結像レンズ５５によって原稿表面の画像がＣＣＤ（Charge Coupled Device）５６上に結像される。ＣＣＤ５６は、原稿表面の画像を読取り、原稿表面の画像を示す画像データを出力する。更に、原稿は、搬送ローラ５７により搬送され、排紙ローラ５８を介して排紙トレイ５９に排出される。
【００２９】
また、原稿台ガラス６１上に載置された原稿を読取ることができる。レジストローラ４９、読取りガイド５１、排紙トレイ５９等とそれらよりも上側の部材とは、一体化されたカバー体となっており、原稿読取り装置Ｂの背面側で原稿搬送方向に沿った軸線回りに開閉可能に枢支されている。この上側のカバー体を開くと、原稿台ガラス６１が解放されて、原稿台ガラス６１上に原稿を載置することができる。原稿が載置されて、カバー体が閉じられると、第１及び第２走査部５３，５４が副走査方向に移動されつつ、第１走査部５３によって原稿台ガラス６１上の原稿表面が露光され、第１及び第２走査部５３，５４によって原稿表面からの反射光が結像レンズ５５へと導かれ、結像レンズ５５によって原稿表面の画像がＣＣＤ５６上に結像される。このとき、第１及び第２走査部５３，５４が相互に所定の速度関係を維持しつつ移動されて、原稿表面→第１及び第２走査部５３，５４→結像レンズ５５→ＣＣＤ５６という反射光の光路の長さが変化しないように第１及び第２走査部５３，５４の位置関係が常に維持され、これによりＣＣＤ５６上での原稿表面の画像のピントが常に正確に維持される。
【００３０】
こうして読取られた原稿の画像全体は、画像データとして画像形成装置Ｄの装置本体Ａへと送受され、装置本体Ａにおいて画像が記録シートに記録される。
【００３１】
一方、画像形成装置Ｄの装置本体Ａは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置１００、給紙部として作用する給紙トレイ１０、及び排紙部として作用する排紙トレイ１５を備えている。
【００３２】
画像形成装置Ｄの装置本体Ａにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００３３】
感光体ドラム３は、装置本体Ａの上下方向のほぼ中央に配置されている。
【００３４】
帯電器５は、感光体ドラム３の表面を所定の電位に均一に帯電させるための帯電手段であり、接触型であるローラ型やブラシ型の帯電器のほか、チャージャー型の帯電器が用いられる。
【００３５】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００３６】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００３７】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００３８】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印Ｃ方向）に周回移動させる。
【００３９】
中間転写ローラ６は、中間転写ベルト７内側に回転可能に支持され、中間転写ベルト７を介して感光体ドラム３に圧接されている。
【００４０】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００４１】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートに対して均一に高電圧を印加することができる。
【００４２】
画像形成装置Ｄの装置本体Ａは、転写部として作用する転写ローラ１１ａを含む２次転写装置１１をさらに備えている。転写ローラ１１ａは、中間転写ベルト７の外側に接触している。
【００４３】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００４４】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００４５】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、 例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外側から従動ローラ２２に向けて押圧するように中間転写ベルト７に接触している。
【００４６】
給紙トレイ１０は、記録シートを格納しておくためのトレイであり、装置本体Ａの画像形成部の下側に設けられている。また、画像形成部の上側に設けられている排紙トレイ１５は、印刷済みの記録シートをフェイスダウンで載置するためのトレイである。
【００４７】
また、装置本体Ａには、給紙トレイ１０の記録シートを２次転写装置１１や定着装置１２を経由させて排紙トレイ１５に送るためのシート搬送装置１００が設けられている。このシート搬送装置１００は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ１９、レジストローラ１０１、定着装置１２、及び排紙ローラ１７等の搬送部材が配置されている。
【００４８】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ１９は、記録シートの搬送を促進補助するための小型のローラである。各搬送ローラ１３は、シート搬送路Ｓに沿って複数箇所に設けられている。レジスト前ローラ１９は、レジストローラ１０１のシート搬送方向上流側の直近に設けられており、記録シートをレジストローラ１０１へと搬送するようになっている。また、シート搬送路Ｓには、記録シートの先端（シート搬送方向下流側端）のタイミングを検知するレジストローラ前シート検知装置（図示省略）が設けられている。このレジストローラ前シート検知装置は、例えば、レジスト前ローラ１９の近傍に設けることができる。レジストローラ前シート検知装置は、記録シートの先端タイミング信号を後述する制御部１０４に送信するために制御部１０４の入力系に接続されている。
【００４９】
レジストローラ１０１は、停止状態において、搬送されて来た記録シートの先端を突き当てて、該記録シートの先端を揃え、中間転写ベルト７と２次転写装置１１との間のニップ域で中間転写ベルト７上のトナー像が記録シートに転写されるように、中間転写ベルト７上に形成されたトナー像と同期をとって、該記録シートをタイミングよく搬送する。例えば、レジストローラ１０１は、中間転写ベルト７と２次転写装置１１との間のニップ域で中間転写ベルト７上におけるトナー像が記録シートにおける画像を形成すべき位置に合うように、記録シートを搬送する。なお、シート搬送動作については、のちほど詳述する。
【００５０】
定着装置１２は、トナー像が転写された記録シートを受け取り、この記録シートをヒートローラ３１及び加圧ローラ３２間に挟み込んで搬送する。
【００５１】
ヒートローラ３１は、所定の定着温度となるように温度制御され、加圧ローラ３２とともに記録シートを熱圧着することにより、記録シートに転写されたトナー像を溶融、混合、圧接し、記録シートに対して熱定着させる機能を有している。
【００５２】
各色のトナー像の定着後での記録シートは、排紙ローラ１７によって排紙トレイ１５上に排出される。
【００５３】
尚、４つの画像形成ステーションのうち一つだけを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上定着される。
【００５４】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを反転経路Ｓｒに通して、記録シートの表裏を反転させてから、記録シートを再びレジストローラ１０１へと導き、記録シートの表面と同様に、記録シートの裏面に画像を記録して定着し、記録シートを排紙トレイ１５に排出する。
【００５５】
ところで、レジストローラ１０１よりもシート搬送方向上流側には、シート搬送路Ｓを所定の曲率で湾曲させた湾曲部７１が形成されている。
【００５６】
図２は、図１に示すシート搬送装置１００におけるシート搬送路Ｓの湾曲部７１近傍を概略的に示す断面図である。
【００５７】
図２に示すように、シート搬送路Ｓの湾曲部７１は、外側ガイド７２と内側ガイド７３との間に形成され、レジストローラ１０１よりも所定のシート搬送方向（図中矢印Ｘ’方向）上流側に、かつレジスト前ローラ１９よりも下流側に位置している。
【００５８】
外側ガイド７２は、固定されている。また、内側ガイド７３は、シート搬送方向Ｘ’に直交する方向に沿った軸支点７３ａ回り揺動自在に軸支されている。内側ガイド７３の自重により該内側ガイド７３が軸支点７３ａ回りで時計回り方向に回転して、内側ガイド７３の端部がストッパー７４に当接し、内側ガイド７３の時計回り方向の回転が規制されて内側ガイド７３が位置決めされている。ストッパー７４は、装置本体Ａに対して湾曲部７１を通過する記録シートＱ１，Ｑ２に接触したり干渉したりすることはない位置に固定されている。
【００５９】
また、シート搬送路Ｓには、記録シートＱ１，Ｑ２の先端をレジストローラ１０１と平行に揃えるように当接して記録シートＱ１，Ｑ２を確実に撓ませるための撓み形成部（スペース）７５が設けられている。この撓み形成部７５は、レジストローラ１０１のシート搬送方向Ｘ’上流側近傍において、シート搬送路Ｓの外側ガイド７２が外側に向けて断面視（断面から視て）凹状に膨らむように設けられている。換言すれば、レジストローラ１０１のシート搬送方向Ｘ’上流側近傍には、停止状態のレジストローラ１０１に突き当たって撓んだ記録シートＱ１，Ｑ２が収まるように、シート搬送路Ｓの幅を広げてなる撓み形成部７５を設けている。この撓み形成部７５は、シート搬送路Ｓのガイド７６を湾曲させて窪ませることにより形成されている。
【００６０】
そして、撓み形成部７５の外側には、光学式センサの一例である反射型光センサ１０２が設けられている。なお、撓み形成部７５には、反射型光センサ１０２からの出射光ＬをシートＱ１，Ｑ２へ照射すると共に、シートＱ１，Ｑ２からの反射光Ｒ１，Ｒ２を反射型光センサ１０２へ受光するための光透過性の窓（図示省略）が設けられている。
【００６１】
図３は、画像形成装置Ｄの制御系のシステムブロック図である。画像形成装置Ｄは、さらに制御部１０４を備えている。
【００６２】
図３に示すように、制御部１０４は、ＣＰＵ等の処理装置１０４ａと、ＲＯＭ及びＲＡＭ等のメモリを含む記憶部１０４ｂとを備えている。詳しくは、この画像形成装置Ｄは、制御部１０４の処理装置１０４ａが記憶部１０４ｂのＲＯＭに予め格納された制御プログラムを記憶部１０４ｂのＲＡＭ上にロードして実行することにより、各種構成要素を制御するようになっている。
【００６３】
なお、制御部１０４は、本発明の実施形態に係るシート搬送装置１００のシート搬送制御手段としても機能するようになっている。例えば、制御部１０４は、図示を省略したレジストローラ前シート検知装置からの記録シートＱ１，Ｑ２の先端タイミング信号に基づき、記録シートＱ１，Ｑ２先端の検知から所定の時間経過後に（すなわち、停止状態のレジストローラ１０１に突き当たった記録シートＱ１，Ｑ２を撓み形成部７５で適度に撓ませるタイミングで）レジスト前ローラ１９への回転駆動を停止させると共に、さらに所定の時間経過後に（すなわち、停止状態のレジストローラ１０１に先端を突き当てて撓んだ状態の記録シートＱ１，Ｑ２が中間転写ベルト７上に形成されたトナー像と同期する画像形成タイミングで）レジストローラ１０１を回転駆動させるようになっている。
【００６４】
［本発明の特徴部分の説明］
本発明の実施形態に係るシート搬送装置１００は、レジストローラ１０１と、シート搬送路Ｓと、反射型光センサ１０２と、レジストローラ１０１を駆動してレジストローラ１０１をシート搬送方向Ｘへ回転させる駆動部１０３と、制御部１０４（シート搬送制御手段の一例）と備えている。駆動部１０３は、作動信号が入力できるように制御部１０４の出力系に電気的に接続されており、この作動信号が入力されているときに駆動するようになっている。なお、反射型光センサ１０２等は、図６に示す上記した従来のシート搬送装置のものと同様であり、ここでは詳しい説明を省略する。
【００６５】
本実施の形態においては、制御部１０４は、駆動部１０３にてレジストローラ１０１を回転駆動し、レジストローラ１０１にて搬送される記録シートＱ１，Ｑ２の反射型光センサ１０２によるシート有り状態とするシート有り検知からシート無しとするシート無し検知となる検知後（記録シートＱ１，Ｑ２の後端Ｑ１’，Ｑ２’とみなす検知後）からの搬送時間をシートの種類（具体的にはシート特性の違い）に応じて変更し、該変更された搬送時間（例えば第１シート特性の記録シートＱ１での第１搬送時間Ｔｓ１又は第２シート特性の記録シートＱ２での第２搬送時間Ｔｓ２）経過後に駆動部１０３によるレジストローラ１０１への回転駆動を一旦停止して次のシート搬送に備えるように構成されている。
【００６６】
ここでは、第１シート特性の記録シートＱ１は、普通紙とされており、第２シート特性の記録シートＱ２は、普通紙よりも腰の強いＯＨＰシートとされている。
【００６７】
図４は、本発明の実施形態に係るシート搬送装置１００の反射型光センサ１０２による記録シートＱ１，Ｑ２の検知タイミング、レジストローラ１０１への回転駆動の開始／停止タイミング及びレジストローラ１０１による記録シートＱ１，Ｑ２の搬送タイミングを示すタイミングチャートである。図４（ａ）は、普通紙Ｑ１を搬送する場合でのタイミングチャートを示しており、図４（ｂ）は、ＯＨＰシートＱ２を搬送する場合でのタイミングチャートを示している。
【００６８】
図４（ａ）に示す普通紙Ｑ１での第１搬送時間Ｔｓ１は、次の算出式（１）で予め設定される。
【００６９】
［第１搬送時間Ｔｓ１］＝［検知後搬送距離Ｄ］／［搬送速度Ｖ］…式（１）
ここで、検知後搬送距離Ｄ（図２参照）は、普通紙Ｑ１の反射型光センサ１０２による検知位置Ｐ１からレジストローラ１０１の対向ローラ１０５との挟持位置Ｐ２までの距離であり、搬送速度Ｖは、シートの搬送速度である。
【００７０】
そして、制御部１０４は、普通紙Ｑ１を搬送する普通紙搬送モードと、ＯＨＰシートＱ２を搬送するＯＨＰ搬送モードとを備え、ＯＨＰ搬送モード（ＯＨＰシートに対応するシート認識信号が入力された場合）での第２搬送時間Ｔｓ２を、普通紙搬送モード（普通紙に対応するシート認識信号が入力された場合）での第１搬送時間Ｔｓ１よりも遅らせるように構成されている。
【００７１】
具体的には、図４（ｂ）に示すＯＨＰシートＱ２での第２搬送時間Ｔｓ２は、つぎの算出式（２）で予め設定される。
【００７２】
［第２搬送時間Ｔｓ２］＝［第１搬送時間Ｔｓ１＋延長時間Ｔｒ］…式（２）
ここで、延長時間Ｔｒは、反射型光センサ１０２によるＯＨＰシートＱ２の後端Ｑ２’検知が普通紙Ｑ１の後端Ｑ１’検知より早く検知する誤検知時間Ｔｄ以上の時間とされている。すなわち、次の関係式（３）の関係が成り立つ。
【００７３】
［延長時間Ｔｒ］≧［誤検知時間Ｔｄ］…式（３）
（制御部１０４による処理動作について）
次に、画像形成装置Ｄにおけるトラブル発生時の制御部１０４による処理の流れについて図５を参照しながら説明する。図５は、画像形成装置Ｄの印刷動作を示すフローチャートである。
【００７４】
この画像形成装置Ｄでは、図５に示すように、印刷動作が行われるにあたり、印刷要求があるまで待機する（ステップＳ１）。このとき、レジストローラ１０１は停止状態となっている。ここで、印刷要求があると（ステップＳ１：Ｙｅｓ）、給紙処理を実行して給紙トレイ１０から記録シートＱ１，Ｑ２をシート搬送路Ｓへ搬送する（ステップＳ２）。
【００７５】
次に、レジスト前ローラ１９近傍のレジストローラ前シート検知装置にて記録シートＱ１，Ｑ２の先端を検知する（ステップＳ３）。この記録シートＱ１，Ｑ２先端の検知から所定の時間経過後にレジスト前ローラ１９への回転駆動を停止する（ステップＳ４）。次に、中間転写ベルト７上に形成されたトナー像と同期する画像形成タイミングがくるまで待機し（ステップＳ５：Ｎｏ）。画像形成タイミングがくると（ステップＳ５：Ｙｅｓ）、レジストローラ１０１を回転駆動し（ステップＳ６）、画像形成処理を開始する（ステップＳ７）。
【００７６】
そして、ＯＨＰ搬送モードか否か（すなわち、ＯＨＰシートに対応するシート認識信号が入力されたか、又は普通紙に対応するシート認識信号が入力されたか）を判断し（ステップＳ８）、ＯＨＰ搬送モードでない場合には（すなわち、普通紙搬送モードの場合には）（ステップＳ８：Ｎｏ）、レジストローラ１０１の停止タイミングを第１搬送時間Ｔｓ１に設定する（ステップＳ９）。一方、ＯＨＰ搬送モードである場合（ステップＳ８：Ｙｅｓ）、レジストローラ１０１の停止タイミングを第２搬送時間Ｔｓ２に設定する（ステップＳ１０）。
【００７７】
次に、画像形成処理が終了したか否かを判断し（ステップＳ１１）、画像形成処理が終了すると（ステップＳ１１：Ｙｅｓ）、普通紙搬送モードの場合には反射型光センサ１０２からの「センサＯＦＦ」を検知してからステップＳ９で設定した第１搬送時間Ｔｓ１後に、また、ＯＨＰ搬送モードの場合には反射型光センサ１０２からの「センサＯＦＦ」を検知してからステップＳ１０で設定した第２搬送時間Ｔｓ２後にレジストローラ１０１への回転駆動を停止し（ステップＳ１２）、次の記録シートＱの印刷処理があるか否かを判断する（ステップＳ１３）。次の記録シートＱの印刷処理がある場合には（ステップＳ１３：Ｙｅｓ）、ステップＳ２に移行する一方、次の記録シートＱの印刷処理がない場合には（ステップＳ１３：Ｎｏ）、処理を終了する。
【００７８】
以上説明したシート搬送装置１００では、普通紙Ｑ１を搬送する場合には、図４（ａ）に示すように、普通紙Ｑ１がレジストローラ１０１にて搬送された後に（普通紙Ｑ１の後端Ｑ１’がレジストローラ１０１を通過した後に）、レジストローラ１０１への回転駆動が停止する（図中α１参照）。一方、ＯＨＰシートＱ２を搬送する場合には、図４（ｂ）に示すように、ＯＨＰ搬送モードでのレジストローラ１０１への回転駆動の停止タイミングを、普通紙搬送モードでのレジストローラ１０１への回転駆動の停止タイミングよりも所定の延長時間Ｔｒだけ遅らせることで、ＯＨＰシートＱ２がレジストローラ１０１にて搬送された後に（ＯＨＰシートＱ２の後端Ｑ２’がレジストローラ１０１を通過した後に）、レジストローラへの回転駆動を停止させることができる（図中α２参照）。
【００７９】
このように、本発明の実施形態に係るシート搬送装置１００によれば、反射型光センサ１０２がＯＨＰシートＱ２の後端Ｑ２’を誤検知しても、制御部１０４がＯＨＰ搬送モードでのレジストローラ１０１への回転駆動の停止タイミングを、普通紙搬送モードでのレジストローラ１０１への回転駆動の停止タイミングよりも所定の延長時間Ｔｒだけ遅らせるので、レジストローラ１０１にてＯＨＰシートＱ２が搬送されている状態で該レジストローラ１０１への回転駆動が停止してしまうことを防止でき、従って、転写ズレ等の画像不良を防止することができる。
【００８０】
なお、本発明の実施形態に係るシート搬送装置１００の光学式センサとしては、ここでは、反射型の光センサを用いたが、それに限定されるものではなく、透過型の光センサにも適用することができる。また、本実施形態のシート搬送装置は、画像形成装置本体に適用して記録シートを搬送するものとしたが、それに限定されるものではなく、例えば、画像形成装置における原稿読取り装置に適用して原稿シートを搬送するものとしてもよい。
【図面の簡単な説明】
【００８１】
【図１】本発明のシート搬送装置の一実施形態を適用した画像形成装置を示す側面図である。
【図２】図１のシート搬送装置におけるシート搬送路の湾曲部近傍を示す断面図である。
【図３】画像形成装置の制御系のシステムブロック図である。
【図４】本発明の実施形態に係るシート搬送装置の反射型光センサによる記録シートの検知タイミング、レジストローラへの回転駆動の開始／停止タイミング及びレジストローラによる記録シートの搬送タイミングを示すタイミングチャートであって、図（ａ）は、普通紙を搬送する場合でのタイミングチャートを示す図であり、図（ｂ）は、ＯＨＰシートを搬送する場合でのタイミングチャートを示す図である。
【図５】画像形成装置の印刷動作を示すフローチャートである
【図６】レジストローラよりもシート搬送方向上流側で湾曲しているシート搬送路を備えた従来のシート搬送装置において、反射型光センサを用いた場合の不都合を説明するための図であって、図（ａ）は、普通紙である第１シート特性のシートを搬送する場合での反射型光センサによる検出状態を示す図であり、図（ｂ）は、普通紙よりも腰の強いＯＨＰシートである第２シート特性のシートを搬送する場合での反射型光センサによる検出状態を示す図である。
【図７】従来のシート搬送装置の反射型光センサによるシートの検知タイミング、レジストローラへの回転駆動の開始／停止タイミング及びレジストローラによるシートの搬送タイミングを示すタイミングチャートであって、図（ａ）は、普通紙を搬送する場合でのタイミングチャートを示す図であり、図（ｂ）は、ＯＨＰシートを搬送する場合でのタイミングチャートを示す図である。
【符号の説明】
【００８２】
７１      湾曲部
１００    シート搬送装置
１０１    レジストローラ
１０２    光学式センサ
１０４    制御部（シート搬送制御手段の一例）
Ｄ        画像形成装置
Ｑ１      普通紙（第１シート特性のシートの一例）
Ｑ１’    普通紙の後端
Ｑ２      ＯＨＰシート（第２シート特性のシートの一例）
Ｑ２’    ＯＨＰシートの後端
Ｓ        シート搬送路
Ｔｓ１    第１搬送時間
Ｔｓ２    第２搬送時間
Ｘ’      シート搬送方向
【図１】
2010037087.tif 000003
【図２】
2010037087.tif 000004
【図３】
2010037087.tif 000005
【図４】
2010037087.tif 000006
【図５】
2010037087.tif 000007
【図６】
2010037087.tif 000008
【図７】
2010037087.tif 000009